(57)【要約】【課題】人体にリラックス効果を与えるマイナスイオンを容易に且つ多量に連続的に発生させることができる電気掃除機を提供することを目的とする。【解決手段】吸引風を発する電動送風機２を有し、前記電動送風機２の吸気上流側に配設され塵埃を吸引する吸込具から、前記電動送風機２の吸気下流側に配設され前記電動送風機２が発する排気部５に至る空気流路の少なくとも１部分を、空気、ナイロン繊維、アクリル繊維、砂塵、綿繊維より帯電列でマイナス側に位置する材質で構成する。【選択図】  図１
2004180989.tif 000002
【特許請求の範囲】
【請求項１】
吸引風を発する電動送風機を有し、前記電動送風機の吸気上流側に配設され塵埃を吸引する吸込具から、前記電動送風機の吸気下流側に配設され前記電動送風機が発する排気部に至る空気流路の少なくとも１部分を、空気、ナイロン繊維、アクリル繊維、砂塵、綿繊維より帯電列でマイナス側に位置する材質で構成する電気掃除機。
【請求項２】
電動送風機は掃除機本体に内蔵されるとともに、前記電動送風機の吸気上流側には、塵埃を吸引する吸込具と、塵埃を捕集する集塵部と、前記集塵部に連通し前記掃除機本体に接続されるホースと、前記吸込具と前記ホースを接続する接続管とを有するとともに、前記吸込具、前記集塵部、前記ホース、前記接続管が形成する空気流路の少なくとも１部分を、空気、ナイロン繊維、アクリル繊維、砂塵、綿繊維より帯電列でマイナス側に位置する材質で構成する請求項１記載の電気掃除機。
【請求項３】
空気、ナイロン繊維、アクリル繊維、砂塵、綿繊維より帯電列でマイナス側に位置する材質で構成する空気流路内の壁に凹凸部を形成し、前記凸部を放電電極とする請求項１または２記載の電気掃除機。
【請求項４】
空気、ナイロン繊維、アクリル繊維、砂塵、綿繊維より帯電列でマイナス側に位置する材質で構成する空気流路内の壁に不織布等繊維で構成される放電体を設け、前記構成繊維の端部を放電電極とする請求項１または２記載の電気掃除機。
【請求項５】
空気、ナイロン繊維、アクリル繊維、砂塵、綿繊維より帯電列でマイナス側に位置する材質で構成する空気流路の壁に繊維を植毛し、前記繊維端部を放電電極とする請求項１または２記載の電気掃除機。
【請求項６】
空気、ナイロン繊維、アクリル繊維、砂塵、綿繊維より帯電列でマイナス側に位置する材質で構成する空気流路を周囲から電気的に絶縁するため、少なくとも表面抵抗、体積抵抗が１０１３Ω・ｃｍ以上の材質で前記空気流路の周囲を囲んだ請求項１または２記載の電気掃除機。
【発明の詳細な説明】
【０００１】
【発明の属する技術分野】
本発明は人体に緊張緩和等の有用な効果を有するマイナスイオンを簡易的に発生させるマイナスイオン発生機構を有する電気掃除機に関するものである。
【０００２】
【従来の技術】
従来のマイナスイオン発生装置は、高電圧回路により発生させた高電圧を離れた電極間に印加し、その空気層を介した電極間の放電か、電極間の絶縁体表面上での放電により空気中に負電荷である電子を放出させて空気中の水分等を負に帯電させるか、あるいは金や白金表面に紫外線を照射し、金属中の電子を空気中にたたき出すことによって同じく空気中の水分等を負に帯電させてマイナスイオンを発生させていた（例えば、特許文献１参照。）。
【０００３】
【特許文献１】
特開２００１−３３８７４４号公報
【０００４】
【発明が解決しようとする課題】
しかしながら、上記従来のマイナスイオン発生装置は、放電方式の場合、マイナスイオン発生と同時に有害なオゾンも副産物として発生してしまったり、放電のために高圧回路を使用するため、その高電圧により感電や火災の危険を伴ったりしていた。また、紫外線照射方式の場合、使用する紫外線は人体に有害であるため、直接人体、特に眼に照射されないように配慮が必要であった。
【０００５】
本発明は、上記従来の課題を解決するもので、安全かつ非常に簡単な機構で、人体にリラックス効果を与えるマイナスイオンを容易に且つそのために余分なエネルギーを使用することもなく発生させることができる機構を有する電気掃除機及びそれに使用する吸込具、接続管、ホースを提供することを目的とする。
【０００６】
【課題を解決するための手段】
上記目的を達成するために本発明は、吸引風を発する電動送風機を有し、前記電動送風機の吸気上流側に配設され塵埃を吸引する吸込具から、前記電動送風機の吸気下流側に配設され前記電動送風機が発する排気部に至る空気流路の少なくとも１部分を、空気、ナイロン繊維、アクリル繊維、砂塵、綿繊維より帯電列でマイナス側に位置する材質で構成するもので、空気流路内に塵埃を含んだ吸気および排気が流れると、その吸気、排気中の空気、塵埃を構成する衣類等から発生するナイロン繊維、アクリル繊維、綿繊維及び室外から進入する砂塵と、空気流路内壁がこすれあって静電気が発生する。空気流路内の空気、ナイロン繊維、アクリル繊維、砂塵、綿繊維より帯電列でマイナス側に位置する材質で構成した部分では空気流路内の壁部はこの時マイナスに帯電する。そして、その電位が放電電位に達すると、空気流路内を形成する内壁からマイナス電荷の放電が開始され、そのマイナス電荷と空気中の水分子等が結合してマイナスイオンを発生させる。
【０００７】
【発明の実施の形態】
請求項１に記載の発明は、吸引風を発する電動送風機を有し、前記電動送風機の吸気上流側に配設され塵埃を吸引する吸込具から、前記電動送風機の吸気下流側に配設され前記電動送風機が発する排気部に至る空気流路の少なくとも１部分を、空気、ナイロン繊維、アクリル繊維、砂塵、綿繊維より帯電列でマイナス側に位置する材質で構成するもので、電気掃除機を運転し、前記空気流路内に空気流が発生すると、その空気流路中の空気、塵埃を構成するナイロン繊維、アクリル繊維、綿繊維、砂塵との摩擦により空気流路内の少なくとも一部の空気、ナイロン繊維、アクリル繊維、砂塵、綿繊維より帯電列でマイナス側に位置する材質で構成した部分がマイナスに帯電する。そして、その電位が放電電位に達すると空気流路を形成する内壁からマイナス電荷の放電が開始され、そのマイナス電荷と空気中の水分子等が結合してマイナスイオンを発生させる。
【０００８】
請求項２に記載の発明は、電動送風機は掃除機本体に内蔵されるとともに、前記電動送風機の吸気上流側には、塵埃を吸引する吸込具と、塵埃を捕集する集塵部と、前記集塵部に連通し前記掃除機本体に接続されるホースと、前記吸込具と前記ホースを接続する接続管とを有するとともに、前記吸込具、前記集塵部、前記ホース、前記接続管が形成する空気流路の少なくとも１部分を、空気、ナイロン繊維、アクリル繊維、砂塵、綿繊維より帯電列でマイナス側に位置する材質で構成するもので、電気掃除機を運転し、前記空気流路内に空気流が発生すると、その空気流路中の空気、塵埃を構成するナイロン繊維、アクリル繊維、綿繊維、砂塵との摩擦により空気流路内の少なくとも一部の空気、ナイロン繊維、アクリル繊維、砂塵、綿繊維より帯電列でマイナス側に位置する材質で構成した部分がマイナスに帯電する。そして、その電位が放電電位に達すると空気流路を形成する内壁からマイナス電荷の放電が開始され、そのマイナス電荷と空気中の水分子等が結合してマイナスイオンを発生させる。
【０００９】
請求項３に記載の発明は、空気、ナイロン繊維、アクリル繊維、砂塵、綿繊維より帯電列でマイナス側に位置する材質で構成する空気流路内の壁に凹凸部を形成し、前記凸部を放電電極とするもので、通常は空気流路壁面の帯電電圧空気の絶縁破壊電圧である３５．５ｋＶ／ｃｍ以上にならないと放電を開始しないが、前記凸部への電界集中効果でより低い帯電電圧で放電が可能となる。つまりより低い帯電電圧でマイナスイオンの発生が可能となる。
【００１０】
請求項４に記載の発明は、空気、ナイロン繊維、アクリル繊維、砂塵、綿繊維より帯電列でマイナス側に位置する材質で構成する空気流路内の壁に不織布等繊維で構成される放電体を設け、前記構成繊維の端部を放電電極とするもので、より放電電極部での電界の集中効果が大きくでき、より低い帯電電圧での放電開始、マイナスイオンの発生開始が可能となる。
【００１１】
請求項５に記載の発明は、空気、ナイロン繊維、アクリル繊維、砂塵、綿繊維より帯電列でマイナス側に位置する材質で構成する空気流路の壁に繊維を植毛し、前記繊維端部を放電電極とするもので、より放電電極部での電界の集中効果が大きくでき、より低い帯電電圧での放電開始、マイナスイオンの発生開始が可能となるとともに、放電電極となる繊維端部の数を大きくでき且つその方向を揃えられるために、より放電量、放電によるマイナスイオン発生量を増加させることができる。
【００１２】
請求項６に記載の発明は、空気、ナイロン繊維、アクリル繊維、砂塵、綿繊維より帯電列でマイナス側に位置する材質で構成する空気流路を周囲から電気的に絶縁するため、少なくとも表面抵抗、体積抵抗が１０１３Ω・ｃｍ以上の材質で前記空気流路の周囲を囲んだもので、前記空気、ナイロン繊維、アクリル繊維、砂塵、綿繊維より帯電列でマイナス側に位置する材質で構成した部分と電気掃除機の運転によって吸入される空気、塵埃を構成するナイロン繊維、アクリル繊維、綿繊維、砂塵との摩擦によって発生する静電気が周囲へ逃げることを確実に防止でき、その部分の電位が確実に上昇してマイナス電荷の放電とそれによるマイナスイオンの発生を確実なものにできる。
【００１３】
【実施例】
以下、本発明の実施例について、図面を参照しながら説明する。
【００１４】
（実施例１）
以下、本発明の実施例１における電気掃除機について、図１〜図４を用いて説明する。
【００１５】
図１において、電気掃除機本体１内には電動送風機２が内蔵され、この電動送風機２の吸気側には集塵部３が設けられている。集塵部３には吸込具や接続管、ホースを接続できる吸気口４が設けてある。また電気掃除機本体１の電動送風機２の排気側には外気に開放する排気部５が設けてある。そして電気掃除機本体１内には前記吸気口４から電動送風機２を経由して前記排気部５にいたる空気流路６が形成される。空気流路６の一部である集塵部３は吸気流が集塵部３壁面と擦れ合いながら流れる形状となっている。且つ集塵部３の壁面部７は塩化ビニル樹脂で構成してあり、この塩化ビニル樹脂は吸気中の空気、ナイロン繊維、アクリル繊維、綿繊維等の繊維塵や砂塵より帯電列でマイナス側に位置するために、吸気中の空気、ナイロン繊維、アクリル繊維、綿繊維等の繊維塵や砂塵と擦れ合うことによりマイナスに帯電する。そして、その帯電量が増加し、帯電電位が放電電位に到達すると、集塵部３を形成する内壁８よりマイナス電荷の放電が始まる。その放電されたマイナス電荷が周囲の空気中の水分子等と結びついてマイナスイオンを生成する。
【００１６】
また、図２に示すように、集塵部３を形成する内壁８表面には細かな凹凸が形成してあり、その凸部分９では電界の集中が発生しその凸部分９が放電電極となって、内壁８の帯電電圧が空気の絶縁破壊電圧３５．５ｋＶ／ｃｍ以下でも放電が開始されマイナスイオンが発生する。
【００１７】
放電電極としては、図３に示すように、集塵部３を形成する内壁８に不織布１０を貼り付けたり、図４に示すように、繊維１１を直接植毛しても良い。放電電極として不織布１０を内壁８に貼り付けると、内壁８に設ける凸部９よりもその先端部が細くなるため、より電界の集中が起こり更に低い帯電電圧での放電、マイナスイオンの発生が可能となる。また、内壁８に直接、繊維１１を植毛した場合は、不織布１０を内壁８に貼り付ける場合より、放電電極となる繊維端部の数が更に多くなるため、より放電、マイナスイオンの発生が効率良く行える。
【００１８】
（実施例２）
以下、本発明の実施例２における吸込具について図５を用いて説明する。
【００１９】
図において、吸込具は、吸込具本体１２の底部に吸気口１３を設け、吸込具本体１２に回動自在に取り付けられたパイプ１４により接続管やホース、電気掃除機本体（図１に示す）に接続するようになっている。吸気口１３とパイプ１４の排気部１５間に空気流路１６が形成され、床面から吸い上げられた塵埃は吸気とともに吸気口１３から空気流路１６を経てパイプ１４の排気部１５から接続管、ホース、電気掃除機本体へと送られる。
【００２０】
そして、前記空気流路１６を形成する吸込具本体１２とパイプ１４の少なくとも片方は塩化ビニル樹脂で構成しているため、床面から吸い上げられた塵埃中の衣類等から脱落したナイロン繊維やアクリル繊維、綿繊維、屋外から風によって進入したり衣類等に付着して持ち込まれた砂塵が空気流路１６を通過する際にこの空気流路１６の壁面と擦れ合い、ナイロン繊維やアクリル繊維、綿繊維、砂塵より帯電列でマイナス側に位置する塩化ビニル製の空気流路１６はマイナスに帯電することになる。そして、その帯電量が増加し、帯電電位が放電電位に到達すると、空気流路１６を形成する内壁よりマイナス電荷の放電が始まる。その放電されたマイナス電荷が周囲の空気中の水分子等と結びついてマイナスイオンを生成する。
【００２１】
また、図２に示す構成と同様、空気流路１６を形成する内壁表面には細かな凹凸が形成してあり、その凸部分９では電界の集中が発生しその凸部分が放電電極となって、空気流路１６を形成する内壁の帯電電圧が空気の絶縁破壊電圧３５．５ｋＶ／ｃｍ以下でも放電が開始されマイナスイオンが発生する。
【００２２】
放電電極としては、図３に示す構成と同様、空気流路１６を形成する内壁に不織布１０を貼り付けたり、図４に示すように、繊維１１を直接植毛しても良い。放電電極として不織布１０を空気流路１６を形成する内壁に貼り付けると、空気流路１６を形成する内壁に設ける凸部９よりもその先端部が細くなるため、より電界の集中が起こり更に低い帯電電圧での放電、マイナスイオンの発生が可能となる。また、空気流路１６を形成する内壁に直接繊維１１を植毛した場合は、不織布１０を空気流路１６を形成する内壁に貼り付ける場合より、放電電極となる繊維端部の数が更に多くなるため、より放電、マイナスイオンの発生が効率良く行える。
【００２３】
（実施例３）
以下、本発明の実施例３における接続管について図６を用いて説明する。
【００２４】
図において、接続管本体部１７は塩化ビニル樹脂で構成している。床面から吸込具本体（図５に示す）を介して吸い込まれた塵埃は、前記接続管本体１７の空気流路１８を経てホースもしくは電気掃除機本体（図１に示す）へと吸入される。この床面から吸込具本体を介して吸い込まれた塵埃中には、衣類等から脱落したナイロン繊維やアクリル繊維、綿繊維、屋外から風によって進入したり衣類等に付着して持ち込まれた砂塵が含まれており、空気流路１８を通過する際にこの空気流路１８の壁面と擦れ合い、ナイロン繊維やアクリル繊維、綿繊維、砂塵より帯電列でマイナス側に位置する塩化ビニル製の空気流路１８はマイナスに帯電することになる。そして、その帯電量が増加し、帯電電位が放電電位に到達すると空気流路１８を形成する内壁よりマイナス電荷の放電が始まる。その放電されたマイナス電荷が周囲の空気中の水分子等と結びついてマイナスイオンを生成する。
【００２５】
また、図２に示す構成と同様、空気流路１８を形成する内壁表面には細かな凹凸が形成してあり、その凸部分９では電界の集中が発生しその凸部分が放電電極となって、空気流路１８を形成する内壁の帯電電圧が空気の絶縁破壊電圧３５．５ｋＶ／ｃｍ以下でも放電が開始されマイナスイオンが発生する。
【００２６】
放電電極としては、図３に示す構成と同様、空気流路１８を形成する内壁に不織布１０を貼り付けたり、図４に示すように、繊維１１を直接植毛しても良い。放電電極として不織布１０を空気流路１８を形成する内壁に貼り付けると、空気流路１８を形成する内壁に設ける凸部９よりもその先端部が細くなるため、より電界の集中が起こり更に低い帯電電圧での放電、マイナスイオンの発生が可能となる。また、空気流路１８を形成する内壁に直接繊維１１を植毛した場合は、不織布１０を空気流路１８を形成する内壁に貼り付ける場合より、放電電極となる繊維端部の数が更に多くなるため、より放電、マイナスイオンの発生が効率良く行える。
【００２７】
（実施例４）
以下、本発明の実施例４におけるホースについて図７を用いて説明する。
【００２８】
図において、ホース１９は、把手部を有する先端パイプ２０と、電気掃除機本体（図１に示す）への接続部を有する接続パイプ２１と、可撓性を有するチューブ２２からなり、その内部に空気流路２３が形成される。そしてチューブ２２は軟質塩化ビニル樹脂で構成される。床面から吸込具本体（図５に示す）、接続管（図６に示す）を経て吸気とともに吸入される塵埃中には、衣類等から脱落したナイロン繊維、アクリル繊維、綿繊維及び屋外から進入もしくは持ち込まれた砂塵が含まれている。前記チューブ２２を構成する軟質塩化ビニル樹脂はこれらナイロン繊維、アクリル繊維、綿繊維及び砂塵より帯電列でマイナス側に位置しており、前記チューブ２２内の空気流路２３をこれらの塵埃を含んだ吸気が流れるとチューブ２２壁面と塵埃の摩擦によりチューブ２２壁面にマイナス電位が帯電する。そして、その帯電量が増加し、帯電電位が放電電位に到達するとチューブ２２の空気流路２３を形成する内壁よりマイナス電荷の放電が始まる。その放電されたマイナス電荷が周囲の空気中の水分子等と結びついてマイナスイオンを生成する。
【００２９】
また、図２に示す構成と同様、空気流路２３を形成する内壁表面には細かな凹凸が形成してあり、その凸部分９では電界の集中が発生しその凸部分が放電電極となって、空気流路２３を形成する内壁の帯電電圧が空気の絶縁破壊電圧３５．５ｋＶ／ｃｍ以下でも放電が開始されマイナスイオンが発生する。
【００３０】
放電電極としては、図３に示す構成と同様、空気流路２３を形成する内壁に不織布１０を貼り付けたり、図４に示すように、繊維１１を直接植毛しても良い。放電電極として不織布１０を空気流路２３を形成する内壁に貼り付けると、空気流路２３を形成する内壁に設ける凸部９よりもその先端部が細くなるため、より電界の集中が起こり更に低い帯電電圧での放電、マイナスイオンの発生が可能となる。また、空気流路２３を形成する内壁に直接繊維１１を植毛した場合は、不織布１０を空気流路２３を形成する内壁に貼り付ける場合より、放電電極となる繊維端部の数が更に多くなるため、より放電、マイナスイオンの発生が効率良く行える。
【００３１】
（実施例５）
以下、本発明の実施例５について、図１、図５〜図７を用いて説明する。
【００３２】
図１においては、集塵部３は電気掃除機本体１に収容されているが、電気掃除機本体１の集塵部３の支持部はポリプロピレン樹脂で構成されており、その表面抵抗、体積抵抗は１０１６Ω・ｃｍ以上あるため、前記集塵部３は確実に周囲から電気的に絶縁され、折角、帯電したマイナス電荷が電気掃除機本体１の集塵部３周囲部品に漏れてしまうことは無い。また、図５においては、吸込具本体１２とパイプ１４の少なくとも片方は塩化ビニル樹脂で構成され、他方はポリプロピレン樹脂かＡＢＳ樹脂で構成されている。そして、塩化ビニル樹脂もポリプロピレン樹脂もその表面抵抗、体積抵抗は１０１６Ω・ｃｍ以上であり、ＡＢＳ樹脂の表面抵抗、体積抵抗も１０１５Ω・ｃｍ以上である。従って空気流路１６に帯電したマイナス電荷が空気中への放電前に周囲部品に漏れてしまうことはない。さらに、図６においては、空気流路１８を形成する接続管本体１７は塩化ビニル樹脂で構成されており、その表面抵抗、体積抵抗は１０１６Ω・ｃｍ以上あり、接続管本体１７に帯電したマイナス電荷が周囲部品に漏れることはない。図７においては、ホース１９のチューブ２２は軟質塩化ビニルで構成されるため、その表面抵抗、体積抵抗は１０１２〜１０１４Ω・ｃｍと低いが、そのチューブ２２の両端に設けられた先端パイプ２０、接続パイプ２１はＡＢＳ樹脂で構成されるため、その表面抵抗、体積抵抗は１０１５Ω・ｃｍ以上あり、チューブ２２はこの先端パイプ２０、接続パイプ２１により他の部分から電気的に絶縁され、チューブ２２に帯電したマイナス電荷が無駄に他の部分に漏れてしまうことはない。
【００３３】
上記した各実施例における構成は、必要に応じて適宜組み合わせて用いることができるものであり、実施例そのものに限定されるものではない。
【００３４】
【発明の効果】
以上のように本発明によれば、安全かつ非常に簡単な機構で、人体にリラックス効果を与えるマイナスイオンを容易に且つそのために余分なエネルギーを使用することもなく発生させることができる機構を有する電気掃除機及びそれに使用する吸込具、接続管、ホースを提供できる。
【図面の簡単な説明】
【図１】本発明の第１の実施例における電気掃除機の断面図
【図２】本発明の第１〜４の実施例における空気流路内壁の部分断面図
【図３】同他の空気流路内壁の部分断面図
【図４】同他の空気流路内壁の部分断面図
【図５】本発明の第２の実施例における吸込具の断面図
【図６】本発明の第３の実施例における接続管の断面図
【図７】本発明の第４の実施例におけるホースの断面図
【符号の説明】
１  電気掃除機本体
２  電動送風機
３  集塵部
４、１３  吸気口
５、１５  排気部
６、１６、１８、２３  空気流路
７  壁面部
８  内壁
９  凸部分
１０  不織布
１１  繊維
１２  吸込具本体
１４  パイプ
１７  接続管本体部
１９  ホース
【図１】
2004180989.tif 000003
【図２】
2004180989.tif 000004
【図３】
2004180989.tif 000005
【図４】
2004180989.tif 000006
【図５】
2004180989.tif 000007
【図６】
2004180989.tif 000008
【図７】
2004180989.tif 000009